(57)【要約】【課題】レンズを取り外すと問題が起きるようなタイミングで、誤ってレンズを取り外してしまうことを防止可能なカメラシステムを提供する。【解決手段】カメラ本体に着脱可能な交換用レンズにおいて、前記交換用レンズは交換用レンズの状態を示す電子表示手段と、前記電子表示手段を制御する表示制御手段とを有し、前記表示制御手段は前記カメラ本体から取り外された場合に問題あると判断した場合に前記電子表示手段を操作し表示を変更することを特徴とする構成とした。【選択図】  図２
2016009138.tif 000002
【特許請求の範囲】
【請求項１】
カメラ本体に着脱可能な交換用レンズにおいて、
前記交換用レンズは交換用レンズの状態を示す電子表示手段と、
前記電子表示手段を制御する表示制御手段とを有し、
前記表示制御手段は前記カメラ本体から取り外された場合に問題あると判断した場合に前記電子表示手段を操作し表示を変更することを特徴とするカメラシステム。
【請求項２】
前記表示制御手段は、取り外した場合に問題が起きるよりも長い前後の時間、前記電子表示手段を操作し、表示を変更することを特徴とする請求項１に記載のカメラシステム。
【請求項３】
ファームウェア更新処理を含む期間に前記電子表示手段の表示を変更することを特徴とする請求項２に記載のカメラシステム。
【請求項４】
レンズの沈胴動作処理を含む期間に前記電子表示手段の表示を変更することを特徴とする請求項２に記載のカメラシステム。
【請求項５】
レンズのリセット動作処理を含む期間に前記電子表示手段の表示を変更することを特徴とする請求項２に記載のカメラシステム。
【請求項６】
カメラ本体に着脱可能な交換用レンズにおいて、
前記交換用レンズは交換用レンズの状態を示す電子表示手段と
前記電子表示手段を制御する表示制御手段と、
前記交換用レンズに人が触れたことを検知する検知手段とを有し、
前記表示制御手段は前記カメラ本体から取り外された場合に問題があると判断した場合かつ前記検知手段により人が触れていると判断した場合に前記電子表示手段を操作し表示を変更することを特徴とするカメラシステム。
【請求項７】
カメラ本体に着脱可能な交換用レンズにおいて、
前記交換用レンズは交換用レンズの状態を示す電子表示手段と
前記電子表示手段を制御する表示制御手段と、
前記交換用レンズに人が触れたことを検知する検知手段と、
警告音を出すための警告音発生手段とを有し、
前記表示制御手段は前記カメラ本体から取り外された場合に問題があると判断した場合かつ前記検知手段により人が触れていると判断した場合に前記電子表示手段を操作し表示を変更すると共に前記警告音発生手段により警告音を発生させることを特徴とするカメラシステム。
【発明の詳細な説明】
【技術分野】
【０００１】
本発明は、レンズのファームアップが可能なカメラシステムに関し、特に交換レンズの鏡筒部分に電子表示機能を有するレンズに関するものである。
【背景技術】
【０００２】
従来、レンズ交換式のデジタルカメラにおいて、レンズ鏡筒またはカメラボディに搭載されたプロセッサのファームウェア書き換え機能、いわゆるファームアップにおける通信において、通信の信頼性を確認する方式が開示されている（特許文献１）。
【０００３】
特許文献２では、レンズ鏡筒に電子表示部を設け、焦点距離目盛や距離目盛、被写界深度目盛等を表示する機能が開示されている。
【先行技術文献】
【特許文献】
【０００４】
【特許文献１】特開２０１３−１９９５９号公報
【特許文献２】特開２００７−７２４０７号公報
【発明の概要】
【発明が解決しようとする課題】
【０００５】
しかしながら、上述の特許文献に開示された従来技術では、レンズがカメラ本体から取り外されてしまうと問題が起きるような状況下で、レンズを見ても問題があるかどうかの判断することが出来ない。そのため、誤って取り外されてしまい、結果としてレンズが正常に動作しなくなる可能性がある。
【０００６】
そこで、本発明の目的は、レンズを取り外すと問題が起きるようなタイミングで、誤ってレンズを取り外してしまうことを防止可能なカメラシステムを提供することである。
【課題を解決するための手段】
【０００７】
上記目的を達成するために、本発明は、カメラ本体に着脱可能な交換用レンズにおいて、前記交換用レンズは交換用レンズの状態を示す電子表示手段と、前記電子表示手段を制御する表示制御手段とを有し、前記表示制御手段は前記カメラ本体から取り外されると問題があると判断した場合に前記電子表示手段を操作し表示を変更することを特徴とする。
【発明の効果】
【０００８】
本発明によれば、レンズを取り外すと問題が起きるようなタイミングで、誤ってレンズを取り外してしまうことを防止可能なカメラシステムを提供することができる。
【図面の簡単な説明】
【０００９】
【図１】本発明の実施例であるカメラシステムの構成を示す図。
【図２】実施例１のカメラシステムのブロック図。
【図３】実施例１の電子表示手段の表示を示す図。
【図４】実施例１のファームウェア更新時のフローチャート。
【図５】実施例１の終了動作時のフローチャート。
【図６】実施例１の開始動作時のフローチャート。
【図７】実施例２のカメラシステムのブロック図。
【図８】実施例２の電子表示手段の表示を示す図。
【図９】実施例２のファームウェア更新時のフローチャート。
【図１０】実施例３のカメラシステムのブロック図。
【図１１】実施例３のファームウェア更新時のフローチャート。
【発明を実施するための形態】
【００１０】
［実施例１］
図１は、本発明の実施例１であるカメラシステムの構成を示している。本発明のカメラシステムは、カメラ本体１０１と、カメラ本体１０１に着脱可能な交換レンズ１０２で構成されており、交換レンズ１０２には、電子表示手段１０３が取り付けられている。交換レンズ１０２は、その端部に設けられたレンズ側マウントをカメラ本体１０１に設けられたカメラ側マウントに接合させることで、カメラ本体１０１に自由に着脱することが出来る。また、互いのマウントには、電気接点が設けられており、交換レンズ１０２をカメラ本体１０１に装着すると、互いに接点が接続される。これによって、カメラ本体１０１と交換レンズ１０２が相互に通信することが可能になる。
【００１１】
図２は、電子表示手段１０３に表示制御に係わるブロック図である。図２に示すように、カメラ本体１０１には、レンズとの通信制御や不図示の各種操作部材の検知を行うカメラＣＰＵ２０１と、撮影した画像の記録や、レンズのファームウェア更新のための情報を記憶するためのメモリ２０２とを備えている。交換レンズ１０２には、カメラとの通信制御を行うレンズＣＰＵ２０３や、電子表示手段１０３の表示を制御するための表示制御手段２０４を備えている。その他、不図示のフォーカスレンズの沈胴情報を取得するための沈胴位置センサ２０５、フォーカスレンズのリセット位置情報を取得するためのリセット位置センサ２０６を備えている。
【００１２】
本実施例では、レンズＣＰＵ２０３と表示制御手段２０４を分けて記載しているが、レンズＣＰＵ２０３に表示制御手段２０４を内包しても良い。
【００１３】
図３は、電子表示手段１０３の表示例を図示したものである。３０１は電子表示手段１０３にレンズの被写体距離表示させた場合を示しており、３０２はレンズのファームウェアを更新している場合の表示を示している。また、３０３はレンズが終了処理を行っている場合の表示を示しており、３０４はレンズが開始処理を行っている場合の表示を示している。
【００１４】
次に、図４のフローチャートを用いて、カメラからレンズへファームウェア更新命令が送られてきた場合のレンズＣＰＵ２０３の処理について説明する。まずステップ４０１では、カメラＣＰＵ２０１からレンズＣＰＵ２０３に対して、レンズのファームウェア更新命令が送信される。次に、ステップ４０２ではレンズＣＰＵ２０３は表示制御手段２０４を操作し、電子表示手段１０３の表示を更新表示３０２に変更する。次にステップ４０３では、ファームウェア更新の更新処理を行う。次にステップ４０４では、表示制御手段２０４を操作し、電子表示手段１０３の表示を被写体距離表示３０１に変更する。次にステップ４０５でカメラＣＰＵ２０１に対してファームウェア更新処理が終了したことを送信して処理を終了する。
【００１５】
次に、図５のフローチャートを用いて、カメラからレンズへ電源ＯＦＦ命令が送られてきた場合のレンズＣＰＵ２０３の処理について説明する。まずステップ５０１では、カメラＣＰＵ２０１からレンズＣＰＵ２０３へ電源ＯＦＦの命令が送信される。次にステップ５０２では、表示制御手段２０４を操作し、電子表示手段１０３の表示を終了表示３０３に変更する。次にステップ５０３では、レンズの沈胴動作を行う。沈胴動作の終了判断は、沈胴位置センサ２０５の出力によって行う。
【００１６】
次にステップ５０４では、表示手段２０４以外のポートの設定等の終了処理を行う。次にステップ５０５では、電子表示手段２０４の動作を停止させる。次にステップ５０６では、レンズの終了処理が完了したことをカメラＣＰＵ２０１に送信して処理を終了する。
【００１７】
次に図６のフローチャートを用いて、カメラからレンズに電源供給が開始された場合のレンズＣＰＵ２０３の処理について説明する。
【００１８】
まずステップ６０１では、カメラ側からレンズＣＰＵ２０３へ電源供給が行われる。次にステップ６０２では、表示制御手段２０４を操作し、電子表示手段１０３の表示を開始表示３０４に変更する。次にステップ６０３では、不図示のフォーカスレンズのリセット動作を行う。リセット動作の終了判断は、リセット位置センサ２０６の出力によって行う。次にステップ６０４では、電子表示手段１０３の表示を被写体距離表示３０１に変更する。次にステップ６０５では、レンズの開始処理が完了したことを、カメラＣＰＵ２０１に送信して処理を終了する。
【００１９】
このように、カメラ本体からレンズ鏡筒を取り外されると問題が起きるタイミングよりも前後で長い期間、レンズの表示を変更することにより、誤ってレンズを取り外してしまうことによるレンズの故障などの問題を防止することが出来る。
【００２０】
なお、本実施例では処理終了前後の電子表示手段１０３の表示を被写体距離表示３０１としたが、これに限らずレンズの焦点距離や絞り値、撮影倍率などの値としても良い。
【００２１】
［実施例２］
図７は、本発明の実施例２であるカメラシステムの構成を示している。７０１は検知手段としての静電容量式のタッチセンサである。その他、実施例１と同様の箇所については、同じ番号を付して説明は省略する。
【００２２】
図８は、本実施例における電子表示手段１０３の表示例を図示したものであり、８０１はレンズのファームウェアを更新中に前述のタッチセンサ７０１によりレンズに人が触れている場合の警告表示を示している。
【００２３】
次に、図９のフローチャートを用いて、本実施例におけるファームウェア更新処理時のレンズＣＰＵ２０３の動作について説明する。まずステップ９０１でカメラＣＰＵ２０１からレンズＣＰＵ２０３に対して、レンズのファームウェア更新命令が送信される。次にステップ９０２ではレンズＣＰＵ２０３は表示制御手段２０４を操作し、電子表示手段１０３の表示を被写体距離表示３０１に変更する。次にステップ９０３でファームウェアの更新処理を開始する。
【００２４】
次にステップ９０４では、ファームウェア更新処理中にタッチセンサ７０１の出力を見て、レンズに触れられているかどうかを判断する。触れられている場合は、ステップ９０５に進み、そうでない場合はステップ９０６に進む。ステップ９０５では、表示制御手段２０４を操作し、電子表示手段１０３の表示を警告表示８０１に変更する。ステップ９０６では、表示制御手段２０４を操作し、電子表示手段１０３の表示を更新表示３０２に変更する。次にステップ９０７ではファームウェアの更新処理を行う。
【００２５】
次にステップ９０８ではファームウェアの更新処理が完了したかどうかの判断をする。終了している場合はステップ９０９へ進み、そうでない場合はステップ９０４に戻り、ファームウェアの更新処理及びタッチセンサの検知を行う。次にステップ９０９では表示制御手段２０４を操作し、電子表示手段１０３の表示を被写体距離表示３０１に戻す。次にステップ９１０ではカメラＣＰＵ２０１に対してファームウェアの更新処理が終了したことを送信して処理を終了する。
【００２６】
このように、カメラ本体からレンズ鏡筒を取り外されると問題が起きるタイミングでレンズ鏡筒に触れられていると検知した場合に警告表示を行うことで誤ってレンズを取り外してしまうことによるレンズの故障などの問題を防止することが出来る。
【００２７】
なお、本実施例では、タッチセンサをレンズ鏡筒に取り付けた場合について説明したが、これに限らずカメラ本体に取り付けてレンズに通信で検知を知らせる構成としても良い。
【００２８】
［実施例３］
図１０は、本発明の実施例３であるカメラシステムの構成を示している。１００１は警告音発生手段としてのブザーである。その他、実施例１乃至２と同様の箇所については、同じ番号を付して説明は省略する。
【００２９】
次に、図１０のフローチャートを用いて、本実施例におけるファームウェア更新処理時のレンズＣＰＵ２０３の動作について説明する。なお、主要な動作ステップを１１０１〜１１０２に示し、その他の動作は実施例２と同様のため、同じステップ番号を付して説明は省略する。
【００３０】
ステップ１１０１はステップ９０４でタッチセンサに反応があった場合、ブザー１００１を動作させて、警告音を発生させる。ステップ１１０２はステップ９０４でタッチセンサ反応が無かった場合、ブザー１００１を停止させて、警告音を止める。
【００３１】
このように、カメラ本体からレンズ鏡筒を取り外されると問題が起きるタイミングでレンズ鏡筒に触れられていると検知している場合、警告表示の他、警告音を発生させることで、誤ってレンズを取外ししてしまうことによるレンズの故障などの問題を防止することができる。
【００３２】
なお、本実施例では、ブザーをレンズ鏡筒に取り付けた場合について説明したが、これに限らずカメラ本体に取り付けて、レンズ鏡筒からの通信により警告音を発生させても良い。
【００３３】
以上、本発明の好ましい実施形態について説明したが、本発明はこれらの実施形態に限定されず、その要旨の範囲内で種々の変形及び変更が可能である。
【００３４】
以上、レンズ交換式のデジタルカメラのシステムを例にして行ったが、レンズ交換式のデジタルビデオカメラにも展開することができる。
【符号の説明】
【００３５】
１０３  電子表示手段、２０３  レンズＣＰＵ、２０４  表示制御手段、
７０１  タッチセンサ、１００１  ブザー
【図１】
2016009138.tif 000003
【図２】
2016009138.tif 000004
【図３】
2016009138.tif 000005
【図４】
2016009138.tif 000006
【図５】
2016009138.tif 000007
【図６】
2016009138.tif 000008
【図７】
2016009138.tif 000009
【図８】
2016009138.tif 000010
【図９】
2016009138.tif 000011
【図１０】
2016009138.tif 000012
【図１１】
2016009138.tif 000013